(57)【要約】【課題】  この発明は、線材に接続されたコネクタ端子の出先端子情報を容易に確認するとともに、線材の接続先のコネクタ端子を把握しやすくすることで、配線作業の効率化を図ることを目的とするものである。【解決手段】  出先コネクタに設けられた複数の端子うち各々の端子に一端が取付けられた複数の線材に対し、複数の線材うち１つの線材の他端と導電性部材との接触による導通を検出し、導通の検出結果に基づいて、導電性部材に接触された線材の一端が接続される出先コネクタの端子を特定し、当該特定した端子の出先特定情報を検出し、当該検出した出先特定情報を表示するとともに、複数の出先特定情報と複数の行先特定情報とを各々対応付けた対応情報に基づいて、特定された出先特定情報に対応する行先特定情報を検出し、検出された行先特定情報を表示するようにした。【選択図】  図４
2005106756.tif 000002
【特許請求の範囲】
【請求項１】
複数の線材の一端が接続された出先コネクタの複数の端子に対し各々電気的に接続可能な端子を有するコネクタと、
各上記線材の他端に接触される導電性部材と、
上記コネクタと上記導電性部材とに接続され、複数の上記線材のうちいずれか一つの線材と上記導電性部材との接触による導通を検出する導通検出手段と、
上記導通検出手段の導通検出結果に基づいて、上記導電性部材に接触された線材の一端が接続される上記出先コネクタの端子を特定し、当該特定された端子の出先特定情報を表示する出先端子情報表示手段と
を備えることを特徴とする端子情報検出装置。
【請求項２】
上記導通検出手段は、上記出先コネクタの端子数以上の検出端子を有し、
上記検出端子と上記コネクタの端子とを電気的に接続する接続ケーブル
を備えることを特徴とする請求項１に記載の端子情報検出装置。
【請求項３】
上記導通検出手段は、上記検出端子に電気的に接続された上記出先コネクタの各々の端子における導通有無を順次確認し、
上記出先端子情報表示手段は、上記導通検出手段が導通を検出した時の順番を上記出先特定情報として用いる
ことを特徴とする請求項２に記載の端子情報検出装置。
【請求項４】
上記導通検出手段は、順次カウントするカウンタを有し、上記カウンタのカウントに応じて各々の上記検出端子を順次選択して、上記選択された検出端子における導通有無を順次確認し、
上記出先端子情報表示手段は、上記導通検出手段が導通を検出した時に上記カウンタのカウントを一定時間停止する停止手段を有する
ことを特徴とする請求項２又は３に記載の端子情報検出装置。
【請求項５】
出先コネクタに設けられた複数の端子うち各々の端子に一端が取付けられた複数の線材と、上記複数の線材うち１つの線材の他端と接触する導電性部材との導通を検出し、上記導通の検出結果に基づいて、上記導電性部材に接触された線材の一端が接続される上記出先コネクタの端子を特定し、当該特定された端子の出先特定情報を用いて、上記線材の配線先が取決められている行先コネクタの個々の端子を特定するための行先特定情報を受信し、当該行先特定情報を表示する配線先表示装置であって、
複数の上記出先特定情報と複数の上記行先特定情報とを各々対応付けた対応情報を格納する記憶手段と、
上記特定された上記出先特定情報を受取り、上記対応情報のうち上記受取った出先特定情報に対応する上記行先特定情報を検出する行先特定情報変換手段と、
上記行先特定情報を表示する表示部と
を備えることを特徴とする配線先表示装置。
【請求項６】
上記行先端子情報表示手段は、上記行先コネクタの行先コネクタ画像を表示し、上記行先コネクタ画像のうち上記検出された上記行先特定情報に対応する端子画像を点滅又は変色表示する
ことを特徴とする請求項５記載の配線先表示装置。
【請求項７】
複数の線材の一端が接続された出先コネクタの複数の端子に対し各々電気的に接続可能な端子を有するコネクタと、各上記線材の他端に接触される導電性部材と、上記コネクタと上記導電性部材とに接続され、複数の上記線材のうちいずれか一つの線材と上記導電性部材との接触による導通を検出する導通検出手段と、上記導通検出手段の導通検出結果に基づいて、上記導電性部材に接触された線材の一端が接続される上記出先コネクタの端子を特定し、当該特定された端子の出先特定情報を表示する出先端子情報表示手段とからなる端子情報検出装置と、
複数の上記出先特定情報と複数の上記行先特定情報とを各々対応付けた対応情報を格納する記憶手段と、上記端子情報検出装置が特定した上記出先特定情報を受取り、上記対応情報のうち上記受取った出先特定情報に対応する上記行先特定情報を検出する行先特定情報変換手段と、上記行先特定情報を表示する表示部とからなる配線先表示装置と
を備えることを特徴とする端子情報表示システム。
【請求項８】
出先コネクタに設けられた複数の端子うち各々の端子に一端が取付けられた複数の線材に対し、上記複数の線材うち１つの線材の他端と導電性部材との接触による導通を検出する導通検出手順と、
上記導通の検出結果に基づいて、上記導電性部材に接触された線材の一端が接続される上記出先コネクタの端子を特定し、当該特定した端子の出先特定情報を検出する出先特定情報検出手順と、
上記検出した出先特定情報を表示する出先特定情報表示手順と、
複数の上記出先特定情報と複数の上記行先特定情報とを各々対応付けた対応情報に基づいて、上記特定された上記出先特定情報に対応する上記行先特定情報を検出する行先特定情報変換手順と、
上記検出された上記行先特定情報を表示する行先特定情報表示手順と
からなることを特徴とする端子情報表示方法。
【請求項９】
複数の線材の一端が接続された出先コネクタの複数の端子に電気的に接続可能な端子を有するコネクタを接続する接続工程と、
上記複数の線材うち１つの線材の他端に導電性部材を接触させて、当該接触した線材と導電性部材との導通を検出する導通検出工程と、
上記導通検出工程で導通を検出した上記線材の一端が取付けられた出先コネクタの個々の端子を特定する出先特定情報を検出する出先特定情報検出工程と、
上記検出した上記出先特定情報を表示する出先特定情報表示工程と、
上記特定された上記出先特定情報を受取り、複数の上記出先特定情報と複数の上記行先特定情報とを各々対応付けた対応情報に基づいて、上記出先特定情報検出工程において検出した上記出先特定情報に対応する上記行先特定情報を検出する行先特定情報変換工程と、
上記線材を上記行先特定情報に相当する上記行先コネクタの端子に配線するための情報として、上記検出された上記行先特定情報を表示する行先特定情報表示工程と
からなることを特徴とするコネクタ端子配線方法。
【発明の詳細な説明】
【技術分野】
【０００１】
この発明は、ワイヤーハーネス等の線材をコネクタ端子に配線して電子機器を組み立てる際、当該線材の配線先であるコネクタ端子の出先端子情報を作業者に表示する端子情報検出装置、端子情報表示システムに関するものである。
【背景技術】
【０００２】
従来、ワイヤーハーネスの線材をコネクタ端子に配線する場合、線材に線材番号が記載されたタグを付し、当該タグの線材番号とコネクタ端子の出先端子情報とを突合わせることによって、線材とコネクタ端子とを配線していた。そして、線材をコネクタ端子に配線した後、線材の両端にコネクタ端子が接続されてなる複数の回路に対し順次通電してワイヤーハーネスの線材とコネクタ端子との導通検査をし、ワイヤーハーネスとコネクタ端子との接続状態を確認していた。（例えば、特許文献１参照）
【０００３】
【特許文献１】特開平８−５６９４号公報
【発明の開示】
【発明が解決しようとする課題】
【０００４】
しかしながら、特許文献１で示したワイヤーハーネス検査装置は、ワイヤーハーネスの線材とコネクタ端子とを配線した後、配線作業を誤ったコネクタ端子の端子番号の検出しか行うことができず、配線作業時に、線材が接続されたコネクタ端子の端子番号を検出するものではなかった。
このため、従来の配線作業では、線材の接続されたコネクタ端子の端子番号を記載したタグや、線材を配線する配線先のコネクタ端子の端子番号を記載したタグを対応する線材に取付け、当該タグに記載された端子番号と配線先のコネクタ端子の端子番号を確認しながら配線作業を行う必要があった。
このタグを線材へ貼付ける作業は、線材の取付けられたコネクタ端子の端子番号を確認しながら、確認した端子番号に応じたタグを各線材毎に貼り付けていくため、多くの作業時間を要し、作業としては大変なものであった。一方、線材をコネクタ端子に配線してしまえば、線材に取付けられたタグは不要であり、線材をコネクタ端子に配線する作業においては、余分な作業であった。
【０００５】
そこで、本発明は、線材とコネクタ端子とを実際に配線する前に、線材に接続されたコネクタ端子の出先端子情報を容易に確認するとともに、線材の接続先のコネクタ端子を把握しやすくすることで、配線作業を効率的に行うことを目的とするものである。
【課題を解決するための手段】
【０００６】
課題を解決するために、この発明は、出先コネクタに設けられた複数の端子うち各々の端子に一端が取付けられた複数の線材に対し、複数の線材うち１つの線材の他端と導電性部材との接触による導通を検出し、導通の検出結果に基づいて、導電性部材に接触された線材の一端が接続される出先コネクタの端子を特定し、当該特定した端子の出先特定情報を検出し、当該検出した出先特定情報を表示するとともに、複数の出先特定情報と複数の行先特定情報とを各々対応付けた対応情報に基づいて、特定された出先特定情報に対応する行先特定情報を検出し、検出された行先特定情報を表示するようにした。
【発明の効果】
【０００７】
この発明によれば、線材とコネクタ端子とを配線する前に、線材に接続されたコネクタ端子の出先端子情報を容易に確認できるとともに、線材と配線されるコネクタ端子の把握が容易になり、配線作業を効率的に行うことができる。
【発明を実施するための最良の形態】
【０００８】
実施の形態１．
（１）端子情報表示システムの構成
図１は、本実施の形態に示す端子情報表示システムを示す。
この端子情報表示システムは、ワイヤーハーネス１の複数の線材の一端がピン又はピンソケットである各コネクタ端子に取付けられた出先コネクタ１０に対し、当該コネクタ端子を特定する出先端子情報を検出するとともに、ワイヤーハーネス１の線材を配線する行先コネクタ３のコネクタ端子を画像表示するものである。
【０００９】
端子情報表示システムは、出先コネクタ１０のコネクタ端子を特定する出先端子情報を検出する端子情報検出装置２と、端子情報検出装置２によって検出した出先端子情報に基づいて線材の配線先である行先コネクタ３のコネクタ端子を画像表示する配線先表示装置４と、ワイヤーハーネス１の出先コネクタ１０と端子情報検出装置２の接続コネクタ６とを接続する変換ケーブル５とから構成されている。
【００１０】
端子情報検出装置２は、ワイヤーハーネス１の線材が接続された出先コネクタ１０のコネクタ端子の出先端子情報を検出する端子情報表示本体部２１に、変換ケーブル５が接続される接続コネクタ６と、線材に接触される導電性部材であるプローブ７と、当該端子情報表示本体部２１が検出した出先端子情報を表示する表示部２Ａとが設けられている。また、端子情報表示本体部２１には、検出した検出結果を配線先表示装置４に出力する出力ケーブル８が設けられている。
配線先表示装置４は、装置本体部にコネクタ端子の画像を表示する表示部４Ａと、マウスパッドやキーボードからなる作業者によるコマンド入力用のＭＭＩ（Man Machine Interface）８４とが設けられている。
【００１１】
図２は、ワイヤーハーネス１の一例であり、ワイヤーハーネス１とその一端に取付けられた出先コネクタ１０の拡大図を示している。
出先コネクタ１０は、雄型のコネクタであり、コネクタの内部壁面に複数のコネクタ端子が設けられている。各コネクタ端子には、例えば、Ａ１、Ａ２…、Ｂ１、Ｂ２…のように当該各コネクタ端子を特定するための端子番号が各々のコネクタ端子に対して割当てられている。
なお、ワイヤーハーネス１の各線材は、当該線材が取付けられたコネクタ端子に対応する端子番号によって特定される。
そして、ワイヤーハーネス１は、線材の出口が二股になっており、例えば、線材に充てられた番号に従って当該線材がＡグループ（Ａ１、Ａ２…）、Ｂグループ（Ｂ１、Ｂ２…）とに分けられ、当該分けられた線材が各出口（Ａ、Ｂ）から取出されている。
【００１２】
ここで、端子情報と端子番号との関係について説明する。
端子情報検出装置２が検出する端子情報（出先端子情報）は、後述するように、カウンタ回路１４（図４）の１０進数によるカウント値であり、各コネクタ端子に割当てられた端子番号は、人為的に割当てられた識別番号である。
従って、端子情報検出装置２は、各コネクタ端子に対し端子番号をカウント値と同一にした場合、出先コネクタ１０のコネクタ端子の出先端子情報を検出することで、当該コネクタ端子に割当てられた端子番号を確認することができる。
【００１３】
一方、端子情報検出装置２は、カウント値と独立に各コネクタ端子に対し端子番号を割当てた場合、出先コネクタ１０のコネクタ端子の出先端子情報を検出しても、当該コネクタ端子に割当てられた端子番号を確認するはできない。このため、端子情報検出装置２が検出した出先端子情報を、ワイヤーハーネス１の線材を行先コネクタ３のコネクタ端子に配線するためには、出先端子情報と行先コネクタ３のコネクタ端子との対応図や、出先端子情報と行先コネクタ３のコネクタ端子との対応を取るための装置が必要である。
なお、この必要性を満たすために設けられた装置が、本実施の形態における配線先表示装置４である。
【００１４】
図３は、出先コネクタ１０と接続コネクタ６とを繋ぐ変換ケーブル５を示す構成図である。図３（ａ）は、変換ケーブル５の全体構成図であり、図３（ｂ）は、変換ケーブル５を矢印ａ１、ａ２方向から見た断面図であり、図３（ｃ）は、変換ケーブル５を矢印ｂ１、ｂ２方向から見た断面図である。なお、説明の都合上、図３（ｂ）に示すケーブル５Ｃの幅を図３（ａ）よりも広めに示している。
【００１５】
変換ケーブル５は、図３（ａ）に示すように、ケーブル５Ｃの一端（出先コネクタ１０側）に第１の変換コネクタ５Ａが設けられ、他端（接続コネクタ６側）に第２の変換コネクタ５Ｂが設けられている。変換ケーブル５は、第１の変換コネクタ５Ａに接続される出先コネクタ１０の端子数と、第２の変換コネクタ５Ｂに接続される接続コネクタ６の端子数との端子数差の不整合を補う為に使用されるものである。
【００１６】
第１の変換コネクタ５Ａは、出先コネクタ１０と接続するコネクタであり、出先コネクタ１０のピンであるコネクタ端子（雄型端子）と同数のピンソケットであるコネクタ端子（雌型端子）を有するとともに、当該雌型端子が雄型端子と物理的に接続可能に配置されている。この第１の変換コネクタ５Ａの各コネクタ端子には、所定の配列順に従って、それぞれ端子番号が割振られている。
また、第２の変換コネクタ５Ｂは、接続コネクタ６と接続するコネクタであり、接続コネクタ６のピンソケットであるコネクタ端子（雌型端子）と同数のピンであるコネクタ端子（雄型端子）を有するとともに、当該雄型端子が雌型端子と物理的に接続可能に配置されている。この第２の変換コネクタ５Ｂの各コネクタ端子には、第１の変換コネクタ５Ａにおけるコネクタ端子の配列順と同様の配列順に従って、それぞれ端子番号が割振られている。
【００１７】
第１の変換コネクタ５Ａのコネクタ端子と第２の変換コネクタ５Ｂのコネクタ端子とは、図３（ｂ）、（ｃ）に示すように、上述のように割振られた対応する端子番号を有するコネクタ端子同士が配線されている。例えば、図３（ｂ）、（ｃ）において、第１の変換コネクタ５Ａのコネクタ端子Ａ１と第２の変換コネクタ５Ｂのコネクタ端子Ａ１とが配線５Ｄを介して接続され、第１の変換コネクタ５Ａのコネクタ端子Ａ７と第２の変換コネクタ５Ｂのコネクタ端子Ａ７とが接続されており（図３（ｂ））、第１の変換コネクタ５Ａのコネクタ端子Ｂ１と第２の変換コネクタ５Ｂのコネクタ端子Ｂ１と等が接続されている（図３（ｃ））。なお、５Ｅは、配線５Ｄを覆う被覆である。
【００１８】
ここで、変換ケーブル５は、第２の変換コネクタ５Ｂの端子数が第１の変換コネクタ５Ａの端子数よりも多く設定されている。変換ケーブル５は、対応する端子番号を有する第２の変換コネクタ５Ｂのコネクタ端子と第１の変換コネクタ５Ａのコネクタ端子と同士を接続し、第２の変換コネクタ５Ａにおけるコネクタ端子のうち、第１の変換コネクタにおけるコネクタ端子の端子番号と対応する端子番号を持たないコネクタ端子については未接続のままにしている。
【００１９】
以上のように、変換ケーブル５は、第１の変換コネクタ５Ａの端子数を出先コネクタ１０の端子数と一致させ、第２の変換コネクタ５Ｂの端子数を接続コネクタ６の端子数と一致させ、第１の変換コネクタ５Ａのコネクタ端子と第２の変換コネクタ５Ｂにおけるコネクタ端子のうち対応可能なこれらコネクタ端子同士を配線することによって、出先コネクタ１０の端子数と接続コネクタ６の端子数との違いに左右されることなく無く、ワイヤーハーネス１を端子情報表示本体部２１に接続することができる。
【００２０】
（２）端子情報検出装置の構成
次に、端子情報検出装置２及び変換ケーブル５の内部構成図を、図４を用いて説明する。図４は、端子情報検出装置２の内部構成図である。
この端子情報検出装置２において、端子情報表示本体部２１に取付けられた接続コネクタ６は、図４に示すように、第２の変換コネクタ５Ｂの各コネクタ端子に対応して設けられた複数の検出端子であるコネクタ端子６Ａ、６Ｂ…６Ｄから構成されている。
そして、各コネクタ端子６Ａ、６Ｂ…６Ｄには、端子情報表示本体部２１内部に設けられた複数の入力検知回路１１（１１Ａ、１１Ｂ…１１Ｄ）が接続されている。なお、入力検知回路１１（１１Ａ、１１Ｂ…１１Ｄ）が導通を検出しており、各コネクタ端子６Ａ、６Ｂ…６Ｄは、当該入力検知回路１１（１１Ａ、１１Ｂ…１１Ｄ）が導通を検出するための導通検出経路となる。
【００２１】
入力検知回路１１（１１Ａ、１１Ｂ…１１Ｄ）には、常に５[Ｖ]の電圧が印加されており、入力検知回路１１（１１Ａ、１１Ｂ…１１Ｄ）は、自己に印加される電圧を監視している。
そして、入力検知回路１１（１１Ａ、１１Ｂ…１１Ｄ）は、自己に５[Ｖ]の電圧が印加されていることを検出すると、当該検出結果としてＨレベルの信号（以下、非導通検出信号という）Ｓ２をウエイト回路１３に送信し、自己に印加される電圧がグランド電圧に落ちたことを検出すると、当該検出結果としてＬレベルの信号（以下、導通検出信号という）Ｓ３をウエイト回路１３に送信する。
このウエイト回路１３は、プローブ７が接続されるとともに、グランドに接地されている。
【００２２】
図５は、ウエイト回路１３に入力される信号波形と、当該ウエイト回路１３から出力される信号波形を示すタイムチャートである。
図５（ａ）は、ウエイト回路１３から出力される信号信号（クロック信号Ｓ１、１クロック信号Ｓ４）を示すタイムチャートであり、図５（ｂ）は、ウエイト回路１３が入力検知回路１１（１１Ａ、１１Ｂ…１１Ｄ）から受取る非導通検出信号Ｓ２及び導通検出信号Ｓ３を示すタイムチャートであり、図５（ｃ）は、ウエイト回路１３がクロック信号発生器１２から受取るクロック信号Ｓ１を示すタイムチャートである。
なお、破線からなる矩形部分は、信号波形が現れていないことを意味している。また、図５（ａ）、（ｃ）上のＳ１は、時間ｔｎ毎の各々のクロック信号Ｓ１を総じて示している。クロック信号Ｓ１は、クロック信号発生器１２から時間ｔｎで送信されるクロック信号である。
【００２３】
ウエイト回路１３は、クロック信号発生器１２からクロック信号Ｓ１（図５（ｃ））を受信しており、図５（ｂ）に示すように入力検知回路１１（１１Ａ、１１Ｂ…１１Ｄ）から非導通検出信号（Ｈレベル信号）Ｓ２を受信する期間では、受信したクロック信号Ｓ１（図５（ａ））をカウンタ回路１４に送信する。
また、ウエイト回路１３は、図５（ｂ）に示すように入力検知回路１１（１１Ａ、１１Ｂ…１１Ｄ）から導通検出信号（Ｌレベル信号）Ｓ３を受信する期間では、導通検出信号Ｓ３を受信した時点から所定時間Ｔ（１クロック分の時間tn×クロック数Ｎ）経過後、図５（ａ）に示すような一矩形波である１クロック分の信号（以下、１クロック信号という）Ｓ４をカウンタ回路１４に送信する。なお、ウエイト回路１３が１クロック信号Ｓ４を送信する機構については後述する。
その後、ウエイト回路１３は、１クロック信号Ｓ４を受取ったカウンタ回路１４によって選択された入力検知回路１１（１１Ａ、１１Ｂ…１１Ｄ）から非導通検出信号（Ｈレベル信号）Ｓ２を受信し、図５（ｃ）に示すようにクロック信号発生器１２から受信しているクロック信号Ｓ１をカウンタ回路１４に送信する。
【００２４】
カウンタ回路１４は、受信したクロック信号Ｓ１に基づいて、例えば、１／８０秒程度の間に１〜１２８のカウントを繰り返し行っており、当該カウント毎に監視する入力検知回路１１（１１Ａ、１１Ｂ…１１Ｄ）を順次選択していく。例えば、カウンタ回路１４は、カウント値が１の場合、入力検知回路１１Ａを選択し、カウント値が３の場合、入力検知回路１１Ｃを選択する。すなわち、カウンタ回路１４によるカウントと、当該カウントによって選択する入力検知回路１１（１１Ａ、１１Ｂ…１１Ｄ）とが同期しており、カウンタ回路１４の１０進数によるカウント値（ｎ）と、カウンタ回路１４によって選択される入力検知回路１１ｎを識別する番号とが一致している。なお、入力検知回路１１（１１Ａ、１１Ｂ…１１Ｄ）は、カウンタ回路１４における最大のカウント値（１２８）と同じ数だけ、当該カウンタ回路１４に取付けられている。
カウンタ回路１４によって選択された入力検知回路１１（１１Ａ、１１Ｂ…１１Ｄ）は、自己に印加された電圧を監視し、上述のように当該監視結果として非導通検出信号（Ｈレベル信号）Ｓ２、導通検出信号（Ｌレベル信号）Ｓ３をウエイト回路１３に送信する。
【００２５】
具体的に、プローブ７がワイヤーハーネス１の線材に接触される場合、入力検知回路１１（１１Ａ、１１Ｂ…１１Ｄ）は、プローブ７がグランドとなっていることにより、自己に印加される電圧がグランド電圧に落ちたことを検出する。すなわち、入力検知回路１１（１１Ａ、１１Ｂ…１１Ｄ）は、ワイヤーハーネス１の線材とプローブ７との導通を検出する。
入力検知回路１１（１１Ａ、１１Ｂ…１１Ｄ）は、グランド電圧を検出すると、導通検出結果として導通検出信号（Ｌレベル信号）Ｓ３をウエイト回路１３に送信する。
【００２６】
一方、プローブ７の接触するワイヤーハーネス１の線材がコネクタ端子６Ａ、６Ｂ…６Ｄを介して他の入力検知回路１１（１１Ａ、１１Ｂ…１１Ｄ）に接続されている場合、入力検知回路１１（１１Ａ、１１Ｂ…１１Ｄ）は、自己に印加される電圧が５[Ｖ]のままであることから、５[Ｖ]の電圧を検出することとなる。すなわち、入力検知回路１１（１１Ａ、１１Ｂ…１１Ｄ）は、ワイヤーハーネス１の線材とプローブ７との非導通を検出する。
入力検知回路１１（１１Ａ、１１Ｂ…１１Ｄ）は、非導通検出結果として非導通検出信号（Ｈレベル信号）Ｓ２をウエイト回路１３に送信する。
【００２７】
続いて、ウエイト回路１３は、入力検知回路１１（１１Ａ、１１Ｂ…１１Ｄ）から非導通検出信号（Ｈレベル信号）Ｓ２を受信する場合には、クロック信号発生器１２から受取ったクロック信号Ｓ１をカウンタ回路１４へ送信するともに、受信した非導通検出信号（Ｈレベル信号）Ｓ２を反転したＬレベルの信号Ｓ６（以下、表示不可信号という）を表示機構部１５へ送信する。
【００２８】
カウンタ回路１４は、受信したクロック信号Ｓ１に基づいてクロック動作し、当該クロック動作に連動して１クロック進むごとに順次入力検知回路１１（１１Ａ、１１Ｂ…１１Ｄ）を順次選択するとともに、当該クロック動作に連動して受信したクロック信号Ｓ１を表示機構部１５に送信する。カウンタ回路１４は、入力検知回路１１（１１Ａ、１１Ｂ…１１Ｄ）を選択すると同時にカウント値を１つ進める。また、カウント回路１４は、最大のカウント値（１２８）をカウントした後、次に初期値（０００）をカウントすることで、カウントを一巡すると、入力検知回路１１Ｄを選択した後、入力検知回路１１Ａを選択して、入力検知回路１１（１１Ａ、１１Ｂ…１１Ｄ）の選択も一巡する。
表示機構部１５は、表示不可信号Ｓ６を受信することにより、クロック信号Ｓ１の受信有無に係わらず、表示部２Ａを非表示とする。
【００２９】
一方、ウエイト回路１３は、カウンタ回路１４によって選択された入力検知回路１１（１１Ａ、１１Ｂ…１１Ｄ）から導通検出信号Ｓ３を受信した場合、上述のように１クロック信号Ｓ４をカウンタ回路１４へ送信するとともに、同時に、受信した導通検出信号Ｓ３を反転したＨレベルの信号（以下、表示許可信号という）Ｓ７を表示機構部１５に送信する。
【００３０】
表示機構部１５は、ウエイト回路１３から表示許可信号Ｓ７を受信した際、当該受信の際にカウンタ回路１４のカウント値を読出す（図示せず）。
表示機構部１５は、カウンタ回路１４におけるカウント値を読出し、当該カウンタ回路１４によって選択された入力探知回路１１に接続された導通検出経路としてのコネクタ端子６Ａ、６Ｂ…６Ｄの先に接続された出先コネクタ１０のコネクタ端子の出先端子情報として、当該カウント値を出力する。
表示機構部１５は、受信した表示許可信号Ｓ７によって表示部２Ａへの表示許可が与えられ、検出した出先端子情報を表示部２Ａに表示する。
さらに、表示機構部１５は、検出した出先端子情報を出先端子情報信号Ｓ２０として出力ケーブル８を介して配線先表示装置４に送信する。なお、配線先表示装置４の詳細な説明については、後述する。
【００３１】
また、カウンタ回路１４は、ウエイト回路１３から１クロック信号Ｓ４を受信することにより、１クロック分クロック動作し、導通を検出した入力検知回路１１（例えば、１１Ａ）の次に選択される入力検知回路１１（例えば、１１Ｂ）を選択する。このとき、プローブ７が、入力検知回路１１Ａに接触されており、入力検知回路１１Ｂには接触されていないので、ウエイト回路１３は、入力検知回路１１Ｂから非導通検出信号Ｓ２を受信することとなり、カウンタ回路１４に対してクロック信号Ｓ１の送信を開始する。
【００３２】
すなわち、ウエイト回路１３は、導通検出信号Ｓ３を受信しカウンタ回路１４のカウントを停止したとしても、当該カウンタ回路１４のカウント停止から所定時間Ｔ経過後、カウンタ回路１４に１クロック信号Ｓ４を与えることにより当該カウンタ回路１４のカウントを開始させる。その後、ウエイト回路１３は、導通検出信号Ｓ３を再度受信すると、上述のようにカウンタ回路１４のカウントを停止し、所定時間後１クロック信号Ｓ１を当該カウンタ回路１４に送信することにより、カウンタ回路１４のカウントを再開させることとなる。
【００３３】
そして、ウエイト回路１３は、カウンタ回路１４が順次入力検知回路１１（１１Ａ、１１Ｂ…１１Ｄ）を選択していき、当該選択された入力検知回路１１（１１Ａ、１１Ｂ…１１Ｄ）のうち導通を検出した入力検知回路１１（１１Ａ、１１Ｂ…１１Ｄ）から導通検出信号Ｓ３を受信すると、上述のように表示機構部１５に表示許可信号Ｓ７を送信する。
表示機構部１５は、導通を検出した入力検知回路１１（１１Ａ、１１Ｂ…１１Ｄ）に接続のコネクタ端子６Ａ、６Ｂ…６Ｄの接続先にある出先コネクタ１０のコネクタ端子を特定する出先端子情報を表示部２Ａに表示する。
【００３４】
ウエイト回路１３によって受信される表示許可信号Ｓ７が、同一の入力検知回路１１（１１Ａ、１１Ｂ…１１Ｄ）から送信されるものである場合、表示部２Ａは、同一の入力検知回路１１（１１Ａ、１１Ｂ…１１Ｄ）に接続のコネクタ端子６Ａ、６Ｂ…６Ｄの出先端子情報を再度表示することとなり、これによって、導通を検出したワイヤーハーネス１の線材に接続されたコネクタ端子の出先端子情報を点滅表示することができる。
【００３５】
図６は、ウエイト回路１３の内部構成を示す回路図である。
図７は、ウエイト回路１３に入力される信号波形（図７（ｅ）、（ｆ））と、当該ウエイト回路１３内部の第１のＡＮＤ回路３０から出力される信号波形（図７（ａ））と、第２のＡＮＤ回路３１から出力される信号波形（図７（ｂ））と、第３のＡＮＤ回路３５から出力される信号波形（図７（ｃ））と、ＯＲ回路３３から出力される信号波形（図７（ｄ））を示すタイムチャートである。
なお、破線からなる矩形部分は、信号波形が現れていないことを意味している。また、図７（ａ）、（ｂ）、（ｄ）、（ｆ）上のＳ１は、時間ｔｎ毎の各々のクロック信号Ｓ１を総じて示している。クロック信号Ｓ１は、クロック信号発生器１２から時間ｔｎで送信されるクロック信号である。
【００３６】
このウエイト回路１３では、クロック信号発生器１２から受信したクロック信号Ｓ１（図７（ｆ））を第１のＡＮＤ回路３０及び第２のＡＮＤ回路３１に送信するとともに、入力検知回路１１（１１Ａ、１１Ｂ…１１Ｄ）から受信する非導通検出信号（Ｈレベル信号）Ｓ２又は導通検出信号（Ｌレベル信号）Ｓ３（図７（ｅ））を第１のＡＮＤ回路３０及びＮＯＴ回路３２へ送信する。
【００３７】
ウエイト回路１３が入力検知回路１１（１１Ａ、１１Ｂ…１１Ｄ）から非導通検出信号（Ｈレベル信号）Ｓ２（図７（ｅ））を受取る場合、第１のＡＮＤ回路３０は、図７（ａ）に示すようにクロック信号発生器１２から受取るクロック信号Ｓ１をＯＲ回路３３に送信する。また、ＮＯＴ回路３２は、入力検知回路１１（１１Ａ、１１Ｂ…１１Ｄ）からの非導通検出信号（Ｈレベル信号）Ｓ２を反転した表示不可信号（Ｌレベル信号）Ｓ６を第２のＡＮＤ回路３１及び表示機構部１５に送信する。
【００３８】
第２のＡＮＤ回路３１は、ＮＯＴ回路３２から表示不可信号（Ｌレベル信号）Ｓ６を受信することにより、クロック信号発生器１２からの信号の有無に係わらず、図７（ｂ）に示すように内部カウンタ３４に対してＬレベルの信号Ｓ３１を送信する。この際、内部カウンタ３４は、第２のＡＮＤ回路３１から受信する信号がＬレベルの信号Ｓ３１であるため、カウントを開始しない。
【００３９】
そして、ＯＲ回路３３は、Ｌレベルの信号電圧が印加される状態にあり、図７（ｄ）に示すように、第１のＡＮＤ回路３０から受取ったクロック信号Ｓ１をカウンタ回路１４に送信する。カウンタ回路１４は、受取ったクロック信号Ｓ１に基づいてクロックを開始し、受信したクロック信号Ｓ１を表示機構部１５に送信する。
【００４０】
表示機構部１５は、ＮＯＴ回路３２から表示不可信号（Ｌレベル信号）Ｓ６を受信しており、カウンタ回路１４からクロック信号Ｓ１の受信に係わらず、表示部２Ａへの表示処理を行わない。
【００４１】
次いで、ウエイト回路１３は、カウンタ回路１４によって選択された入力検知回路１１（１１Ａ、１１Ｂ…１１Ｄ）から導通検出信号（Ｌレベル信号）Ｓ３（図７（ｅ））を受取ると、当該導通検出信号（Ｌレベル信号）Ｓ３を第１のＡＮＤ回路３０及びＮＯＴ回路３２へ送信する。
【００４２】
第１のＡＮＤ回路３０は、導通検出信号（Ｌレベルの信号）Ｓ３を受信する場合、クロック信号発生器１２からの信号の有無に係わらず、図７（ａ）に示すように導通検出信号Ｓ３を受信した後、所定時間Ｔ経過後、１クロック信号Ｓ４をＯＲ回路３３に送信する。また、ＮＯＴ回路３２は、受信した導通検出信号（Ｌレベル信号）Ｓ３を反転することにより表示許可信号（Ｈレベル信号）Ｓ７を表示機構部１５及び第２のＡＮＤ回路３１へ送信する。
【００４３】
第２のＡＮＤ回路３１は、ＮＯＴ回路３２から受信する信号が表示許可信号（Ｈレベル信号）Ｓ７であり、図７（ｂ）に示すようにクロック信号発生器１２から受信したクロック信号Ｓ１を内部カウンタ３４へ送信する。すなわち、クロック信号発生器１２からのクロック信号Ｓ１の行先が、カウンタ回路１４から内部カウンタ３４へ切替わることとなる。
【００４４】
内部カウンタ３４は、受信したクロック信号Ｓ１と同期してクロック動作し、カウントを開始する。内部カウンタ３４は、当該クロック動作に連動して１クロック進むごとにカウント値を１ビット進める。この内部カウンタ３４は、例えば、２進数で１６ビットのカウンタで構成されており、クロック信号Ｓ１と同期して「０００１」、「００１０」、「００１１」…とカウントしていく。
また、内部カウンタ３４は、カウント桁数に応じた配線を介して後続の第３のＡＮＤ回路３５に接続されている。そして、内部カウンタ３４は、カウント値を論理信号として第３のＡＮＤ回路３５に順次送信する。例えば、内部カウンタ３４は、カウント値「０００１」に対して「ＬＬＬＨ」信号を送信し、カウント値「００１０」に対して「ＬＬＨＬ」信号を送信し、カウント値「００１１」に対して「ＬＬＨＨ」信号を第３のＡＮＤ回路３５に送信する。
【００４５】
第３のＡＮＤ回路３５は、受信した信号がすべてＨレベルの信号でないときには、図７（ｃ）に示すように、Ｌレベルの信号Ｓ３５をＯＲ回路３３に送信し、受信した信号がすべてＨレベルの信号となったときに、１クロック信号Ｓ４をＯＲ回路３３に送信する。
【００４６】
この際、内部カウンタ３４と第３のＡＮＤ回路３５との間には、ＮＯＴ回路３６が設けられており、当該ＮＯＴ回路３６の設定によって第３のＡＮＤ回路３５から１クロック信号Ｓ４が送信される時間を設定している。
例えば、所定の時間を「１００１」とする場合には、図６示すように、ＮＯＴ回路３６を「１００１」の「０」に相当する線路、すなわち「ＨＬＬＨ」の「Ｌ」に相当する線路に設置する。
これによって内部カウンタ３４が「１００１」をカウントした際、すなわち、クロック数Ｎ＝９回のカウントで、内部カウンタ３４から送信されたカウント値「１００１」に相当する「ＨＬＬＨ」信号は、当該「ＨＬＬＨ」信号のうち「Ｌ」信号がＮＯＴ回路３６において「Ｈ」信号に反転されて第３のＡＮＤ回路３５に送信され、当該「ＨＬＬＨ」信号のうち「Ｈ」信号がそのまま第３のＡＮＤ回路３５に送信される。
第３のＡＮＤ回路３５は、「ＨＨＨＨ」信号を受信することとなる。
【００４７】
従って、第３のＡＮＤ回路３５は、内部カウンタ３４がカウントを開始して所定時間経過して受信する信号がすべてＨレベルの信号となるまで、Ｌレベルの信号Ｓ３５をＯＲ回路３３に送信し、当該所定時間経過して受信する信号がすべてＨレベルの信号となったときに、クロック信号Ｓ１の１クロック分に相当する１クロック信号Ｓ４をＯＲ回路３３及び内部カウンタ３４に送信する。
内部カウンタ３４は、１クロック信号Ｓ４を受信すると、既にカウントしたカウント値を初期値「００００」に戻す。
【００４８】
そして、ＯＲ回路３３は、第１のＡＮＤ回路３０からＬレベルの信号を受けており、第３のＡＮＤ回路３５から受信した１クロック信号Ｓ４をカウンタ回路１４へ送信する。カウンタ回路１４は、この１クロック信号Ｓ４が１クロック分のＨレベルの信号であるため、当該１クロック信号Ｓ４に基づいて１クロック進み、次の入力検知回路１１（１１Ｂ、１１Ｃ…１１Ｄ）を選択する。
ウエイト回路１３は、以後、上述の動作と同様の動作を行うこととなる。
【００４９】
従って、ウエイト回路１３は、入力検知回路１１（１１Ａ、１１Ｂ…１１Ｄ）から非導通検出信号（Ｈレベル信号）Ｓ２を受信する場合には、カウンタ回路１４にクロック信号Ｓ１を送信するとともに表示機構部１５に表示不可信号（Ｌレベル信号）Ｓ６を送信し、入力検知回路１１（１１Ａ、１１Ｂ…１１Ｄ）から導通検出信号（Ｌレベル信号）Ｓ３を受信する場合には、カウンタ回路１４に１クロック信号Ｓ４を送信するとともに表示機構部１５に表示許可信号（Ｌレベル信号）Ｓ７を送信する。
【００５０】
さらに、端子情報検出装置２は、プローブ７がワイヤーハーネス１の線材に接触されるだけで、当該線材の接続先である出先コネクタ１０のコネクタ端子の出先端子情報を検出することができる。また、端子情報検出装置２は、行先コネクタ３のコネクタ端子に割当てられる端子番号がカウント値とされた場合には、簡単な構成で、端子番号である出先端子情報を検出することができる。
【００５１】
なお、カウンタ回路１４は、カウント値が最大値（１２８）となった場合、新たにカウントを初期値（０００）から開始し、カウントが巡回することとなる。このため、ワイヤーハーネス１の線材にプローブ７が接触されたままであると、ウエイト回路１３における所定時間Ｔが積分される。これに伴なって接触が続く間、表示部２Ａにおける出先端子情報が点滅表示され続けることとなる。
【００５２】
次に、端子情報検出装置２において、入力検知回路１１（１１Ａ、１１Ｂ…１１Ｄ）がワイヤーハーネス１の各線材とプローブ７との導通を検出した場合、端子番号である出先端子情報を表示する具体例を説明する。
まず、入力検知回路１１Ａが線材とプローブ７との導通を検出する場合について述べる。入力検知回路１１Ａは、線材とプローブ７との導通検出がない間、非導通検出信号Ｓ２をウエイト回路１３に送信する。ウエイト回路１３は、クロック信号Ｓ１をカウンタ回路１４に送信し、当該カウンタ回路１４をクロック信号Ｓ１に基づいてカウントさせる。カウンタ回路１４は、カウント値に従って順次入力検知回路１１（１１Ａ、１１Ｂ…１１Ｄ）を選択する。
【００５３】
その後、入力検知回路１１Ａは、線材とプローブ７との導通を検出すると、導通検出信号Ｓ３をウエイト回路１３に送信する。ウエイト回路１３は、導通検出信号Ｓ３を受信した後、カウンタ回路１４へのクロック信号Ｓ１の送信を停止することで当該カウンタ回路１４のカウントを停止するとともに、表示許可信号Ｓ７を表示機構部１５に送信する。
このカウンタ回路１４は、入力検知回路１１Ａが導通を検出したことでカウントを停止しているため、カウントしたカウント値が「１」の状態となっている。
表示機構部１５は、表示許可信号Ｓ７を受信すると、カウンタ回路１４からカウント値である「１」を読出し、当該読出したカウント値「１」を表示部２Ａに表示する。
【００５４】
次に、入力検知回路１１Ｃが線材とプローブ７との導通を検出する場合について述べる。入力検知回路１１Ｃは、線材とプローブ７との導通検出がない間は、入力検知回路１１Ａと同様の動作をする。
その後、入力検知回路１１Ｃは、線材とプローブ７との導通を検出すると、導通検出信号Ｓ３をウエイト回路１３に送信する。ウエイト回路１３は、導通検出信号Ｓ３を受信した後、カウンタ回路１４へのクロック信号Ｓ１の送信を停止することで当該カウンタ回路１４のカウントを停止するとともに、表示許可信号Ｓ７を表示機構部１５に送信する。
このカウンタ回路１４は、入力検知回路１１Ｃが導通を検出したことでカウントを停止しているため、カウントしたカウント値が「３」の状態となっている。
表示機構部１５は、表示許可信号Ｓ７を受信すると、カウンタ回路１４のカウント値である「３」を検出し、当該検出したカウント値「３」を表示部２Ａに表示する。
【００５５】
なお、この端子情報検出装置２は、入力検知回路１１（１１Ａ、１１Ｂ…１１Ｄ）がワイヤーハーネス１の線材とプローブ７との導通を検出した時点において、カウンタ回路１４によるカウント値を当該線材が接続されたコネクタ端子の出先端子情報としてそのまま用いているため、出先端子情報を検出するための複雑な回路が不要であり、回路構成を簡単化することができる。
【００５６】
また、端子情報検出装置２は、カウンタ回路１４を用いて順次入力検知回路１１（１１Ａ、１１Ｂ…１１Ｄ）を選択することによって、ワイヤーハーネス１内の線材の短絡（導通）が発生していることと、当該短絡する線材に接続されたコネクタ端子の出先端子情報を検出することができる。以下、ワイヤーハーネス１内の線材の短絡を検出する機構と、当該短絡した線材に接続されたコネクタ端子の出先端子情報を検出する機構について説明する。
【００５７】
端子情報検出装置２において、ワイヤーハーネス１の各線材が短絡していなければ、カウンタ回路１４によって選択された入力検知回路１１（１１Ａ、１１Ｂ…１１Ｄ）の導通結果が、プローブ７とワイヤーハーネス１の線材との接触を意味するが、ワイヤーハーネス１の複数の線材が短絡している場合には、入力検知回路１１（１１Ａ、１１Ｂ…１１Ｄ）の導通結果が、プローブ７とワイヤーハーネス１の複数の線材との接触を意味することとなる。
【００５８】
そして、この端子情報検出装置２は、カウンタ回路１４によって選択された入力検知回路１１（１１Ａ、１１Ｂ…１１Ｄ）が導通を検出すると、所定の時間間隔で導通を検出した入力検知回路１１（１１Ａ、１１Ｂ…１１Ｄ）の接続先にあるコネクタ端子の出先端子情報を表示部２Ａに表示している。
【００５９】
このため、ワイヤーハーネス１の線材が複数短絡している場合、端子情報検出装置２は、入力検知回路１１（１１Ａ、１１Ｂ…１１Ｄ）がカウンタ回路１４によって順次選択され、入力検知回路１１（１１Ａ、１１Ｂ…１１Ｄ）が線材とプローブ７との導通を検出する毎に当該線材に接続されたコネクタ端子の出先端子情報を表示部２Ａに表示することによって、表示部２Ａに複数の出先端子情報を順次表示することとなる。
従って、ワイヤーハーネス１の線材が複数短絡している場合、端子情報検出装置２は、プローブ７に接触されたワイヤーハーネス１の線材が１つであるにもかかわらず、表示部２Ａには複数の出先端子情報を表示することなる。
【００６０】
すなわち、端子情報検出装置２は、表示部２Ａに複数の出先端子情報が表示されることによってワイヤーハーネス１の複数の線材が短絡していることを検出できるとともに、表示部２Ａに表示される複数の出先端子情報によって短絡している線材を検出することができる。
【００６１】
（３）配線先表示装置の構成
次に、配線先表示装置の構成を、図８、図９を用いて説明する。
図８は、配線先表示装置４の回路的構成図を示し、図９は、配線先表示装置４の機能構成図を示す。
配線先表示装置４は、図８に示すように、ＣＰＵ８０にバス８１を介して、配線先表示プログラム等が記憶された記憶装置８２と、端子情報検出装置２から出先端子情報信号Ｓ２０を受取る入力手段８３と、作業者からのコマンド入力を受取るＭＭＩ８４と、メモリ８５と、インターフェイス（Ｉ／Ｆ）８６とが接続されて構成されている。Ｉ／Ｆ８６には、表示部４Ａが接続されている。
【００６２】
配線先表示装置４は、ＣＰＵ８０が記憶装置８２に格納された配線先表示プログラムを読出し、メモリ８５上で展開することによって、図９に示すような、機能部を構成する。
この配線先表示装置４において、ＭＭＩ８４は、ワイヤーハーネス毎に作成された設計データのファイル番号を受取り、当該受取ったファイル番号に応じたファイル番号信号Ｓ８０を設計データ表示手段９１に送信する。設計データ表示手段９１は、受取ったファイル番号信号Ｓ８０に対応する対応情報である設計データＤ１００（図１０）を記憶装置８２から読出し、当該読出した設計データＤ１００に応じた設計表の画像を表示部４Ａに表示する。
【００６３】
図１０は、この設計データの構成を示すものである。
図１０に示す設計データＤ１００は、ワイヤーハーネス毎に作成されており、行先コネクタの型番に応じた型番データＤ１０１と、出先コネクタの識別番号を示す諸元番号の情報（以下、出先諸元情報という）である諸元番号データＤ１０２（以下、出先諸元番号データという）と当該出先コネクタのコネクタ端子を特定する出先端子情報である出先端子番号データＤ１０３、行先コネクタの識別番号を示す諸元番号の情報（以下、行先諸元情報という）である諸元番号データＤ１０４（以下、行先諸元番号データという）と当該行先コネクタ３のコネクタ端子を特定する行先端子情報である行先端子番号データＤ１０５等から構成されている。この行先端子情報は、実際に行先コネクタのコネクタ端子に割当てられた端子番号の情報である。
ここで諸元番号とは、型番に対応した複数の出先コネクタが使用される場合、各出先コネクタを個々に識別するための識別番号である。
【００６４】
そして、出先コネクタ１０のコネクタ端子に対してその接続相手である行先コネクタ３のコネクタ端子が決まっているため、設計データＤ１００は、例えば、当該設計データＤ１００の第１階層Ｆ１における、出先諸元番号データＤ１０２と行先諸元番号データＤ１０４、出先諸元番号データＤ１０２と出先端子番号データＤ１０３、行先諸元番号データＤ１０４と行先端子番号データＤ１０５、出先端子番号データＤ１０３と行先端子番号データＤ１０５とが対応付けられて構成されている。
相互に対応づけられた同一階層（Ｆ１、Ｆ２…）ごとの各諸元番号データＤ１０２、Ｄ１０４や端子番号データＤ１０３、Ｄ１０５は、記憶装置８２の記憶階層において同階層に設けられている。
また、出先諸元番号データＤ１０２には、行先コネクタ３をコネクタ端子面から見た画像（以下、行先コネクタ画像という）が対応付けられている。
【００６５】
次に、ＭＭＩ８４は、設計データに記載される任意の出先諸元番号を受取ると、当該出先諸元番号に応じた出先諸元番号信号Ｓ８１を設計データ表示手段９１に送信する。設計データ表示手段９１は、設計データＤ１００のうち、受取った出先諸元番号信号Ｓ８１の出先諸元情報と同じ出先諸元情報からなる出先諸元番号データＤ１０２と当該出先諸元番号データＤ１０２に対応付けられた行先諸元番号データＤ１０４、出先端子番号データＤ１０３及び行先端子番号データＤ１０５のみを選択し、当該選択した出先諸元番号データＤ１０２、出先端子番号データＤ１０３、行先諸元番号データＤ１０４、行先端子番号データＤ１０５に応じた設計表の画像を表示部４Ａに表示する。
【００６６】
また、ＭＭＩ８４は、設計データに記載される行先諸元番号を受取ると、当該行先諸元番号に応じた行先諸元番号信号Ｓ８２を設計データ表示手段９１に送信する。設計データ表示手段９１は、上述のように選択した出先諸元番号データＤ１０２、行先諸元番号データＤ１０４、出先端子番号データＤ１０３、行先端子番号データＤ１０５の中から、受取った行先諸元番号信号Ｓ８２の行先諸元情報と同じ行先諸元情報である行先諸元番号データＤ１０４と当該行先諸元番号データＤ１０４に対応付けられた出先諸元番号データＤ１０２及び出先端子番号データＤ１０３、行先端子番号データＤ１０５のみを選択し、当該選択した出先諸元番号データＤ１０２、行先諸元番号データＤ１０４及び出先端子番号データＤ１０３、行先端子番号データＤ１０５に応じた設計表の画像を表示部４Ａに表示する。
【００６７】
次いで、ＭＭＩ８４は、階層が特定された出先諸元番号とともに、行先コネクタ画像を表示するコマンド（以下、表示コマンドという）を受取ると、当該出先諸元番号に応じた出先諸元番号信号Ｓ８３及び当該表示コマンドに応じた表示コマンド信号Ｓ８４を設計データ表示手段９１に送信する。
【００６８】
設計データ表示手段９１は、受信した表示コマンド信号Ｓ８４のコマンドに基づき、同じく受信した出先諸元番号信号Ｓ８３の特定階層の出先諸元情報に応じた出先諸元番号データＤ１０２を検出する。設計データ表示手段９１は、検出した出先諸元番号データＤ１０２に対応づけられた行先コネクタ画像データＤ１２０を読出し、当該読出した行先コネクタ画像データＤ１２０に応じた行先コネクタ画像を表示部４Ａに表示する。
【００６９】
その後、配線先表示装置４の入力手段８３は、端子情報検出装置２から出先端子情報信号Ｓ２０を受信すると、当該受信した出先端子情報信号Ｓ２０を端子番号変換手段９２に送信する。
端子番号変換手段９２は、出先端子情報信号Ｓ２０を受信すると、設計データ表示手段９１において選択された出先諸元番号データＤ１０２対応の出先端子番号データＤ１０３の中から、出先端子情報信号Ｓ２０の出先端子情報と同一の出先端子情報である出先端子番号データＤ１０３を検索し、当該検索した出先端子番号データＤ１０３に対応する行先端子番号データＤ１０５を検出する。
【００７０】
そして、端子番号変換手段９２は、検出した行先端子番号データＤ１０５（行先端子情報）からなる行先端子情報信号Ｓ９０として設計データ表示手段９１に送信する。設計データ表示手段９１は、表示部４Ａに表示した行先コネクタ画像の端子画像のうち、受取った行先端子情報信号Ｓ９０の行先端子情報に対応する端子画像を点滅表示する。
【００７１】
これによって、配線先表示装置４は、作業者に対してワイヤーハーネス１の線材の配線先を誘導することができる。作業者はこの行先コネクタ画像を見て配線出来るため、線材の配線先を間違う恐れを減少させることが出来る。
【００７２】
加えて、端子情報表示システムは、端子情報検出装置２によって検出した出先端子情報を表示部２Ａに表示し、配線先表示装置４によって検出した行先端子情報（端子番号）を表示部４Ａに表示することによって、二股のワイヤーハーネス１の線材が取出される出口の設定不具合を検出することができる。
【００７３】
すなわち、ワイヤーハーネス１は、図１に示すように、出先コネクタ１０に取付けられた線材が二股に振分けられ、第１の出口Ａから取出される線材と、第２の出口Ｂから取出される線材とに振分けられている。このとき、誤った振分けによって、第１の出口Ａから取出されるべき線材が第２の出口Ｂから取出されてしまう場合がある。
【００７４】
この場合、ワイヤーハーネス１の線材とプローブ７とが接触されると、端子情報検出装置２の表示部２Ａには、当該ワイヤーハーネス１の線材が接続されたコネクタ端子の出先端子情報が表示される。しかしながら、配線先表示装置４は、この出先端子情報が第２の出口Ｂから取出された線材に接続されたコネクタ端子の出先端子情報であるため、表示部４Ａに表示した行先コネクタ画像の端子画像には当該出先端子情報に対応する端子画像がなく、端子画像の点滅表示を行えない。
端子情報表示システムは、端子情報検出装置２が出先端子情報を表示するにも係わらず、配線先表示装置４が端子画像を点滅表示しないことから、ワイヤーハーネス１の線材の振分けに不具合がある可能性を検出することができる。
【００７５】
この端子情報表示システムにおいて、作業者は、表示部４Ａに表示された行先コネクタ画像を見て配線することにより、高密度化したコネクタ端子の端子位置を明確に理解し配線することができる。
【００７６】
また、この端子情報表示システムは、ワイヤーハーネス１の線材にプローブ７を接触するだけで、端子情報検出装置２の表示部２Ａに出先端子情報が表示されることにより、線材への端子番号のタグ付けを省くことができ、線材をコネクタ端子に配線するまでの作業時間を短縮することができる。又、配線作業と同時に導通チェックをおこなう為、誤配線の防止につながり品質向上を図ることができる。
【００７７】
（４）配線先表示処理手順の説明
次に、図１１を用いて、配線先表示装置４が、表示部４Ａにワイヤーハーネス１の線材を配線する行先コネクタ３のコネクタ端子を示す処理手順について説明する。図１１は、ワイヤーハーネス１の線材を配線する行先コネクタ３のコネクタ端子を示すまでの配線先表示処理手順を示すフローチャートである。
【００７８】
すなわち、配線先表示装置４のＣＰＵ８０は、電源が入力されると、記憶装置８２から配線先表示プログラムを読み出し、図１１に示す配線先表示処理手順を開始する（ステップＳＰ０）。続けて、ＣＰＵ８０は、ＭＭＩ８４から送信されたファイル番号信号Ｓ８０を受信し、当該受信したファイル番号信号Ｓ８０に対応する設計データＤ１００を記憶装置８２から読出し（ステップＳＰ１）、当該読出した設計データＤ１００をメモリ８５に格納する。ＣＰＵ８０は、メモリ８５に格納した設計データＤ１００に応じた画像を表示部４Ａに表示する（ステップＳＰ２）。
【００７９】
次いで、ＣＰＵ８０は、出先諸元番号信号Ｓ８１を持受け、ＭＭＩ８４を介して出先諸元番号信号Ｓ８１を取得すると、メモリ８５に格納した設計データＤ１００の中から、取得した出先諸元番号信号Ｓ８１の出先諸元番号と同一の番号を有する出先諸元番号データＤ１０２を検出する。
ＣＰＵ８０は、検出した出先諸元番号データＤ１０２に対応した行先諸元番号データＤ１０４、出先端子番号データＤ１０３及び行先端子番号データＤ１０５を選択し（ステップＳＰ３）、当該検出、選択した出先諸元番号データＤ１０２、行先諸元番号データＤ１０４、出先端子番号データＤ１０３、及び行先端子番号データ１０５に応じた画像を表示部４Ａに表示する（ステップＳＰ４）。
【００８０】
続いて、ＣＰＵ８０は、ＭＭＩ８４を介して行先諸元番号信号Ｓ８２を取得した場合には、上述のように選択した行先諸元番号データＤ１０４の中から、取得した行先諸元番号信号Ｓ８２の行先諸元番号と同一の番号を有する行先諸元番号データＤ１０４を検出する。
ＣＰＵ８０は、検出した行先諸元番号データＤ１０４に対応した出先諸元番号データＤ１０２、出先端子番号データＤ１０３、行先端子番号データＤ１０５を選択し（ステップＳＰ５）、当該検出、選択した出先諸元番号データＤ１０２、行先諸元番号データＤ１０４、出先端子番号データＤ１０３、及び行先端子番号データ１０５に応じた画像を表示部４Ａに表示する（ステップＳＰ６）。
【００８１】
次いで、ＣＰＵ８０は、ＭＭＩ８４を介して、出先諸元番号信号Ｓ８３及び表示コマンド信号Ｓ８４を取得する（ステップＳＰ７）と、取得した出先諸元番号信号Ｓ８３に対応する出先諸元番号データＤ１０２を検出し、当該検出した出先諸元番号データＤ１０２に対応する行先コネクタ画像データＤ１２０を記憶装置８２から読出す（ステップＳＰ８）。ＣＰＵ８０は、読出した行先コネクタ画像データ１２０に応じた行先コネクタ画像を表示部４Ａに表示する（ステップＳＰ９）。
【００８２】
その後、ＣＰＵ８０は、入力手段８３を介して出先端子情報信号Ｓ２０を取得する（ステップＳＰ１０）と、選択した出先諸元番号データＤ１０２のうち当該取得した出先端子情報信号Ｓ２０の端子番号と同一の番号を有する出先諸元番号データＤ１０２を検出する。ＣＰＵ８０は、検出した出先諸元番号データＤ１０２に対応する行先諸元番号データＤ１０４を選択し、当該選択した行先諸元番号データＤ１０４に対応する行先端子番号データＤ１０５を確認する（ステップＳＰ１１）。
【００８３】
続いて、ＣＰＵ８０は、表示部４Ａに表示した行先コネクタ画像を構成する端子画像うち、確認した行先端子番号データＤ１０５に対応する特定の端子画像を検出し、当該検出した特定の端子画像を点滅表示する（ステップＳＰ１２）。
そして、ＣＰＵ８０は、プログラムの終了通知を受けとった後、配線先表示処理手順を終了する（ステップＳＰ１３）。
【００８４】
（５）行先コネクタへの配線方法
以下、本実施の形態において、ワイヤーハーネス１の線材を行先コネクタのコネクタ端子に配線する配線方法を、図１２を用いて示す。
図１２において、端子情報表示システムは、端子情報検出装置２及び配線先表示装置４の電源が入れられ、端子情報検出装置２の接続コネクタ６に変換ケーブル５を介してワイヤーハーネス１が接続され、行先コネクタ３への線材の配線を開始する（ステップＳＰ２０）。
【００８５】
配線先表示装置４は、ＭＭＩ８４であるマウスを用い、表示部４Ａに表示する任意のファイルがクリック指定されることで、必要とされるワイヤーハーネス１の設計データＤ１００を確認し、当該確認した設計データＤ１００を反映した設計表２００を表示部４Ａに表示する（ステップＳＰ２１）。
【００８６】
図１３は、この設計表２００の構成図である。
この設計表２００には、この機種で使用するワイヤーハーネス１の各線材ごとの線番、線種、色、線長が記載されるとともに、行先コネクタの型番２０１、ワイヤーハーネス１の一端に取付けられる出先コネクタの出先諸元番号２０２と、出先コネクタのコネクタ端子の出先端子番号２０３、ワイヤーハーネス１の他端に取付けられる行先コネクタ３の行先諸元番号２０４と、行先コネクタ３のコネクタ端子の行先端子番号２０５とが記載されている。
また、出先コネクタ１０の出先諸元番号２０２及び出先端子番号２０３と、行先コネクタ３の行先諸元番号２０４及び行先端子番号２０５には、それぞれプルダウンボタン２１０、２１１、２１２、２１３が設けられている。
【００８７】
次いで、設計表２００は、出先コネクタの出先諸元番号２０２に設けられたプルダウンボタン２１０がＭＭＩ８４であるマウスによってクリックされると、図１４に示すように、出先コネクタの出先諸元番号が列記された諸元シート２２０（以下、出先諸元シートという）を表示する（ステップＳＰ２２）。
【００８８】
設計表２００は、出先諸元シート２２０の出先諸元番号（例えば、Ｐ１０１）が選択されると、図１５に示すように、選択された出先諸元番号２０２ａに対応した行先諸元番号２０４ａ、出先端子番号２０３ａ及び行先端子番号２０５ａのみを表示する（ステップＳＰ２３）。図１５において、設計表２００の行先諸元番号２０４ａは、行先諸元番号を２つ（Ｊ３２、Ｊ２８）表示している。
【００８９】
続いて、設計表２００は、行先コネクタの行先諸元番号２０４に設けられたプルダウンボタン２１１がＭＭＩ８４であるマウスによってクリックされると、図１６に示すように、行先コネクタの行先諸元番号が列記された諸元シート２２１（以下、行先諸元シートという）を表示する（ステップＳＰ２４）。
【００９０】
設計表２００は、行先諸元シート２２１の行先諸元番号（Ｊ３２）が選択されると、図１７に示すように、選択された行先諸元番号２０４ｂ、及び当該選択された行先諸元番号２０４ｂに対応した出先諸元番号２０２ｂ、出先端子番号２０３ｂ、行先端子番号２０５ｂのみを表示する（ステップＳＰ２５）。
【００９１】
なお、出先コネクタの出先端子番号２０３にプルダウンボタン２１２が設けられ、また、行先コネクタの行先端子番号２０５にもプルダウンボタン２１３が設けられている。
この出先端子番号２０３に設けられたプルダウンボタン２１２がクリックされ、表示された諸元シート（図示せず）から端子番号が選択されると、当該端子番号に対応する行先コネクタのコネクタ端子の端子番号が表示される。すなわち、出先コネクタ１０のコネクタ端子に接続される行先コネクタ３のコネクタ端子を確認することができる。
同様に、この出先端子番号２０５に設けられたプルダウンボタン２１３がクリックされ、表示された諸元シート（図示せず）から端子番号が選択されると、当該端子番号に対応する出先コネクタ１０のコネクタ端子の端子番号が表示される。
【００９２】
続いて、図１８に示すように、表示部４Ａにおいて、ＭＭＩ８４であるマウスが用いられて、例えば、出先コネクタの出先諸元番号２０２ｂ１が選択された後、コネクタ画像を表示するコネクタ画像表示ボタン２３０がクリックされる。
表示部４Ａは、図１９に示すように、選択された出先諸元番号２０２ｂ１に対応する行先コネクタ画像２４０を上述の設計表２００と併せて表示する（ステップＳＰ２６）。
【００９３】
次いで、端子情報検出装置２のプローブ７がワイヤーハーネス１の線材に接触され（ステップＳＰ２７）、端子情報検出装置２は、プローブ７に接触されたワイヤーハーネス１の線材の出先端子情報を検出する。端子情報検出装置２は、検出したカウント値からなる単数の出先端子情報を表示部２Ａに表示する（ステップＳＰ２８）。
【００９４】
続いて、配線先表示装置４は、図２０に示すように、端子情報検出装置２によって検出された出先端子情報に基づいて、表示部４Ａに表示した行先コネクタ画像２４０の端子画像２４１うち、当該出先端子情報対応の線材を接続する行先コネクタ３のコネクタ端子として端子画像２４１ｇを点滅する（ステップＳＰ２９）。
ワイヤーハーネス１の線材を行先コネクタ３のコネクタ端子に配線した後、端子情報検出装置２及び配線先表示装置４の電源を落として終了する（ステップＳＰ３０）。
【００９５】
これによって、端子情報表示システムは、ワイヤーハーネス１の線材を配線する行先コネクタ３のコネクタ端子を画像表示して作業者に指示することで、作業者による線材の配線間違いを減少することができる。
【００９６】
因みに、設計表２００は、ワイヤーハーネス１の出口が二股になっているため、出先諸元番号２０２に２種類の行先諸元番号２０４が対応付けられているが、ワイヤーハーネス１の出口が１つの場合は、図２１に示すように、出先諸元番号３０２に１種類の行先諸元番号３０４が対応付けられている。
【００９７】
実施の形態２
図２２は、本実施の形態２の端子情報表示システムを示す。
この端子情報表示システムは、実施の形態１の端子情報検出装置２が、クロック信号Ｓ１によるカウント値に基づいて出先端子情報を検出するのに対し、導通を検出した入力検知回路４０１（４０１Ａ、４０１Ｂ…４０１Ｄ）に与えられた出先端子情報を直接確認することで、出先端子情報を検出する点が異なっている。
【００９８】
以下、実施の形態２の端子情報表示システムが、実施の形態１の端子情報表示システムと異なる点について説明する。
まず、入力検知回路４０１（４０１Ａ、４０１Ｂ…４０１Ｄ）は、プローブ７がワイヤーハーネス１の線材に接触されると、プローブ７がグランドに接続されていることにより、自己に印加される電圧がグランド電圧に落ちたことを検出する。
入力検知回路４０１（４０１Ａ、４０１Ｂ…４０１Ｄ）は、各々自己を識別するために、デジタル値である端子番号からなる出先端子情報を有している。入力検知回路４０１（４０１Ａ、４０１Ｂ…４０１Ｄ）は、グランド電圧を検出すると、自己の識別番号である出先端子情報からなる出先端子情報信号Ｓ４０（Ｓ４０Ａ、Ｓ４０Ｂ…Ｓ４０Ｄ）を表示機構部４０２へ送信する。
なお、入力検知回路４０１に与えられる出先端子情報は、当該入力検知回路４０１に接続される接続コネクタ６のコネクタ端子６Ａ、６Ｂ…６Ｄ、更にはコネクタ端子６Ａ、６Ｂ…６Ｄの接続先である出先コネクタ１０のコネクタ端子に与えられた出先端子情報（端子番号）と同じ情報である。
表示機構部４０２は、出先端子情報信号Ｓ４０を受信すると、当該出先端子情報信号Ｓ４０Ｓ４０（Ｓ４０Ａ、Ｓ４０Ｂ…Ｓ４０Ｄ）の端子番号を表示部２Ａに表示する。
【００９９】
本実施の形態の端子情報表示システムにおいも、実施の形態１の端子情報表示システムと同様の効果を有することができる。
【０１００】
実施の形態３．
図２３は、実施の形態３の端子情報表示システムにおける、配線先表示装置４が行先コネクタ３の行先コネクタ画像を表示するためのフローチャートである。
実施の形態１の配線先表示装置４は、取得した表示コマンド信号Ｓ８４に基づいて行先コネクタ画像を表示部４Ａに表示したが、本実施の形態の配線先表示装置４では、諸元番号を選択しただけで、行先コネクタ画像を表示部４Ａに表示する点で異なっている。
【０１０１】
以下、実施の形態３の端子情報表示システムにおける、行先コネクタ画像を表示部４Ａに表示する表示手順について説明する。
すなわち、配線先表示装置４のＣＰＵ８０は、図２３に示す配線先表示処理手順を開始（ステップＳＰ４０）した後、ＭＭＩ８４から送信されたファイル番号信号Ｓ８０を受信し、当該受信したファイル番号信号Ｓ８０に対応する設計データＤ１００を記憶装置８２から読出し（ステップＳＰ４１）、当該読出した設計データＤ１００をメモリ８５に格納する。ＣＰＵ８０は、メモリ８５に格納した設計データＤ１００に応じた画像を表示部４Ａに表示する（ステップＳＰ４２）。
【０１０２】
次いで、ＣＰＵ８０は、出先諸元番号信号Ｓ８１を持受け、ＭＭＩ８４を介して出先諸元番号信号Ｓ８１を取得すると、メモリ８５に格納した設計データＤ１００の中から、取得した出先諸元番号信号Ｓ８１に応じた出先諸元番号データＤ１０２及び当該出先諸元番号データＤ１０２に対応した行先諸元番号データＤ１０４、出先端子番号データＤ１０３、行先端子番号データ１０５を選択し（ステップＳＰ４３）、当該選択したこれらデータＤ１０２、Ｄ１０３、Ｄ１０４、Ｄ１０５に応じた画像を表示部４Ａに表示する（ステップＳＰ４４）。
【０１０３】
ＣＰＵ８０は、選択した行先諸元番号データＤ１０４を検索し、当該行先諸元番号データＤ１０４の行先諸元番号がすべて同一か否か判定する（ステップＳＰ４５）。
ＣＰＵ８０は、行先諸元番号データＤ１０４の行先諸元番号がすべて同一と判断した場合には、出先諸元番号データＤ１０２に対応する行先コネクタ画像データＤ１２０を記憶装置８２から読出し（ステップＳＰ４６）、当該読出した行先コネクタ画像データＤ１２０に応じた行先コネクタ画像を表示部４Ａに表示する（ステップＳＰ４７）。
【０１０４】
一方、ＣＰＵ８０は、行先諸元番号データＤ１０４の行先諸元番号が全て同一であることを検出できない場合には、行先諸元番号信号Ｓ８２を待受け、ＭＭＩ８４を介して行先諸元番号信号Ｓ８２を取得すると、当該取得した行先諸元番号信号Ｓ８２に応じた行先諸元番号データＤ１０４及び当該行先諸元番号データＤ１０４に対応した出先諸元番号データＤ１０２及び出先端子番号データＤ１０３、行先端子番号データ１０５を選択し（ステップＳＰ４８）、当該選択したこれらデータＤ１０２、Ｄ１０３、Ｄ１０４、Ｄ１０５に応じた画像を表示部４Ａに表示する（ステップＳＰ４９）。
【０１０５】
続けて、ＣＰＵ８０は、出先諸元番号データＤ１０４に対応する行先コネクタ画像データＤ１２０を記憶装置８２から読出し（ステップＳＰ５０）、当該読出した行先コネクタ画像データＤ１２０に応じた行先コネクタ画像を表示部４Ａに表示する（ステップＳＰ５１）。
【０１０６】
これによって、本実施の形態の配線先表示装置４は、諸元番号を選択しただけで、行先コネクタ画像を表示部４Ａに表示することができる。
【０１０７】
実施の形態４．
図２４は、実施の形態４の端子情報表示システムにおける、配線先表示装置４の表示部４Ａの表示画面である。
上述の実施の形態では、表示部４Ａには、１つのワイヤーハーネス１で使用する行先コネクタ３が複数あっても、行先コネクタ３のコネクタ画像が１つずつしか表示されないが、本実施の形態における配線先表示装置４の表示部４Ａには、図２４に示すように２つの行先コネクタ画像２６０Ａ、２６０Ｂを表示するようにしても良い。なお、表示部４Ａには、３つ以上の行先コネクタ画像を表示するようにしても良い。
本実施の形態により、ワイヤーハーネス１の線材を接続する行先コネクタ３が頻繁に入れ替われる場合に、一々行先コネクタ３のコネクタ画像を入れ替える処理を行う必要がなくなる。
【０１０８】
他の実施の形態．
なお、本実施の形態では、線材に接続されたコネクタ端子の出先端子情報を検出する機能を端子情報検出装置２に持たせ、線材が配線される行先コネクタのコネクタ端子を示す機能を配線先表示装置４に持たせていたが、本実施の形態はこれに限らず、出先端子情報を検出する機能と線材が配線されるコネクタ端子を示す機能とを同一の装置に持たせるようにしても良い。
【０１０９】
また、本実施の形態では、出先端子情報を端子情報検出装置２の表示部２Ａに表示し、配線先表示装置４の表示部４Ａでは、線材が配線される行先コネクタ３のコネクタ端子の画像を点滅させて、当該線材を配線する行先コネクタ３のコネクタ端子を作業者に指示していたが、本実施の形態はこれに限らず、線材が配線される行先コネクタ３のコネクタ端子の端子番号も併せて表示部４Ａに表示するようにしても良い。
【０１１０】
さらに、本実施の形態では、変換ケーブル５の第１及び第２の変換コネクタ５Ａ、５Ｂの接合面が角形状のものについて述べたが、本実施の形態ではこれに限らず、図２５に示すように接合面が円形状の変換ケーブル５００を用いるようにしても良く、角形状に限定するものではない。
【０１１１】
さらに、本実施の形態では、線材の他端に接触して導通検査を行う導電性部材として、プローブ７を用いたが、本実施の形態ではこれに限らず、線材と導通可能な導電性部材であれば良く、例えば、ワニ口クリップであっても良い。
【０１１２】
さらに、本実施の形態では、行先コネクタの画像のうちコネクタ端子に該当する画像を点滅する場合について述べたが、本実施の形態ではこれに限らず、コネクタ端子に該当する画像を変色するようにしても良い。
【０１１３】
さらに、本実施の形態では、線材の出口が２股であるワイヤーハーネス１を用いる場合について述べたが、本実施の形態ではこれに限らず、線材の出口が、例えば３股であるような複数股のワイヤーハーネスを用いるようにしても良い。
【図面の簡単な説明】
【０１１４】
【図１】第１の実施の形態における端子情報表示システムの全体構成図である。
【図２】ワイヤーハーネスと出先コネクタの説明に供する略線図である。
【図３】変換ケーブルの説明に供する略線図である。
【図４】第１の実施の形態における端子情報検出装置の内部構成を示したブロック図である。
【図５】クロック信号と１クロック信号との説明に供するタイムチャートである。
【図６】第１の実施の形態におけるウエイト回路の内部構成を示すブロック図である。
【図７】ウエイト回路内部での信号の説明に供するタイムチャートである。
【図８】第１の実施の形態における配線先表示装置の内部構成を示すブロック図である。
【図９】第１の実施の形態における配線先表示装置の機能部を示すブロック図である。
【図１０】第１の実施の形態における設計データの構成の説明に供する略線図である。
【図１１】第１の実施の形態における配線先表示処理手順を説明するフローチャートである。
【図１２】第１の実施の形態における行先コネクタへの線材配線方法を説明するフローチャートである。
【図１３】第１の実施の形態における設計表の説明に供する略線図である。
【図１４】第１の実施の形態における設計表の使用方法の説明に供する略線図である。
【図１５】第１の実施の形態における設計表の使用方法の説明に供する略線図である。
【図１６】第１の実施の形態における設計表の使用方法の説明に供する略線図である。
【図１７】第１の実施の形態における設計表の使用方法の説明に供する略線図である。
【図１８】第１の実施の形態における設計表の使用方法の説明に供する略線図である。
【図１９】第１の実施の形態における設計表の使用方法の説明に供する略線図である。
【図２０】第１の実施の形態における行先コネクタ画像の端子画像の点滅を説明するに供する略線図である。
【図２１】第１の実施の形態における他の設計表の説明に供する略線図である。
【図２２】第２の実施の形態における端子情報検出装置の内部構成を示したブロック図である。
【図２３】第３の実施の形態における配線先表示処理手順を説明するフローチャートである。
【図２４】第４の実施の形態における配線先表示装置の表示画面の説明に供する略線図である。
【図２５】他の実施の形態における変換ケーブルの説明に供する略線図である。
【符号の説明】
【０１１５】
１  ワイヤーハーネス、２  端子情報検出装置、２Ａ  表示部、３  行先コネクタ、４  配線先表示装置、５  変換ケーブル、６  接続コネクタ、７  プローブ、１１  入力検知回路、１２  クロック信号発生器、１３  ウエイト回路、１４  カウンタ回路、１５  表示機構部、３４  内部カウンタ、８０  ＣＰＵ、１００  設計データ、９１  設計データ表示手段、９２  端子番号変換手段、Ｓ１  クロック信号、Ｓ２  非導通検出信号、Ｓ３  導通検出信号。
【図１】
2005106756.tif 000003
【図２】
2005106756.tif 000004
【図３】
2005106756.tif 000005
【図４】
2005106756.tif 000006
【図５】
2005106756.tif 000007
【図６】
2005106756.tif 000008
【図７】
2005106756.tif 000009
【図８】
2005106756.tif 000010
【図９】
2005106756.tif 000011
【図１０】
2005106756.tif 000012
【図１１】
2005106756.tif 000013
【図１２】
2005106756.tif 000014
【図１３】
2005106756.tif 000015
【図１４】
2005106756.tif 000016
【図１５】
2005106756.tif 000017
【図１６】
2005106756.tif 000018
【図１７】
2005106756.tif 000019
【図１８】
2005106756.tif 000020
【図１９】
2005106756.tif 000021
【図２０】
2005106756.tif 000022
【図２１】
2005106756.tif 000023
【図２２】
2005106756.tif 000024
【図２３】
2005106756.tif 000025
【図２４】
2005106756.tif 000026
【図２５】
2005106756.tif 000027